(57)【要約】【課題】デジタル信号処理を有するオーディオ信号再生装置における音声歪、音割れ、ＳＮ比の改善を図る。【解決手段】ＤＳＰ５から入力されたデジタル音声信号は、デジタルゲイン設定部７でゲイン調整された後、Ｄ／Ａコンバータ８でアナログ音声信号に変換され、アナログゲイン設定部９でゲイン調整された後、レシーバ用アンプ１０を介してレシーバ１へ入力され、レシーバ１から音声として出力される。デジタルゲイン設定部７およびアナログゲイン設定部９のゲインは、指定された複数の音量設定値に対して、該音量設定値が大きくなるに従って大きな値に設定されるとともに、デジタルゲイン設定部７とアナログゲイン設定部９における設定ゲインのゲイン配分比率は、音量設定値が小さい程、デジタルゲイン設定部７における設定ゲインの比率が大きくなるように設定される。【選択図】図１
2010141571.tif 000002
【特許請求の範囲】
【請求項１】
入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置における音量調整方法であって、
ゲイン設定手段が、前記デジタルゲイン設定部および前記アナログゲイン設定部における各ゲインを、指定された複数の音量設定値に対して、該音量設定値が大きい程大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定することを特徴とする音量調整方法。
【請求項２】
入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置において、
前記デジタルゲイン設定部および前記アナログゲイン設定部における各ゲインを、指定された複数の音量設定値に対して、該音量設定値が大きい程大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定するゲイン設定手段を備えていることを特徴とするオーディオ信号再生装置。
【請求項３】
請求項１に記載のオーディオ信号再生装置を供えていることを特徴とする受話音量設定機能付き携帯通信端末。
【請求項４】
入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置に備えられたコンピュータを、
指定された複数の音量設定値に対して、該音量設定値が大きい程、前記デジタルゲイン設定部および前記アナログゲイン設定部の各ゲインを大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定する手段として機能させるためのプログラム。
【発明の詳細な説明】
【技術分野】
【０００１】
本発明は、デジタル信号処理により音声や音楽等のオーディオ信号を再生する技術に関し、特に、再生音量調整技術に関する。
【背景技術】
【０００２】
携帯電話機等における受話用のレシーバは、元々それ専用に低音が豊かな、充分な音量を確保出来る大きなタイプのものが使用されており、そのためレシーバ部品自身での特性も容易にチューニングが可能となっている。そのため、受話時において、歪、音割れやＳＮ比が悪くフロアノイズ（雑音）が目立ちやすい等の問題は少なかった。
【０００３】
一方、最近ではデジタルテレビ対応や見易さへの追及、ユニバーサルへの配慮等により、液晶画面が大幅に拡大する傾向があり、一方これと並行して、携帯電話機自体は薄型・小型化が主流になりつつある。これによりレシーバの小型化及び薄型化が必須となり、さらに、スピーカを兼用して使用できるように、スピーカをレシーバとして使用するものもある。
【０００４】
そのため、従来の受話用レシーバ相当の音量、音質を確保するには、入力レベルを上げることや周波数特性を調整するイコライザー等でレシーバから出る出力を合わせ込むしかない。そこで、問題となるのが、入力過大による歪、音割れや特にアナログゲインを上げすぎたためにＳＮ比が劣化し、フロアノイズが聞こえ易くなる問題、あるいは部品の特性上、通話に使用している周波数帯域外でのフロアノイズが目立ちやすくなる等の問題がある。
【０００５】
携帯通信端末の音量調整ではないが、特許文献１には、音量調整スイッチにより指示された音量調整値を、調整単位の大きい粗調整値と調整単位の小さい精調整値に分解し、精調整値はデジタル減衰手段に出力されて、デジタル減衰手段によりこの精調整値に応じた減衰度でデジタル信号を減衰処理し、粗調整値は電子ボリュームに出力されて、電子ボリュームに入力されるアナログ信号をこの粗調整値に応じた減衰度で減衰することによって、デジタル信号処理を行う音響再生装置における音量調整を、歪率・Ｓ／Ｎ比を損なうこと無く実行可能にする技術が記載されている。
【０００６】
【特許文献１】特開平７−２４０６４７号公報
【発明の開示】
【発明が解決しようとする課題】
【０００７】
従来の受話用レシーバ相当の音量、音質を確保するための音量調整方法として、入力レベルをデジタルゲインとアナログゲインとに配分して増幅する場合に、歪、音割れよりもフロアノイズの減少を重視する場合には、デジタルゲイン側で大きなゲインを設定し、アナログ側でゲインを抑えるような調整を行い、逆に、フロアノイズ（雑音）よりも歪、音割れの減少を重視する場合には、アナログゲイン側で大きなゲインを設定し、デジタル側でゲインを抑えるように微調整する方法が考えられる。
【０００８】
しかし、このような方法を用いて、携帯電話機の受話音声において豊かな音量及び音質を確保するには以下に示すような課題がある。図３〜図６はこのような従来のモデルにおけるデジタル処理とアナログ処理のゲイン配分と入力レベルの関係を示している。
【０００９】
なお、以下のモデルでは、音量設定が１〜６までの６段階あるものとし、図の（ａ）は音量設定値が１（最小音量）の時と音量設定値が６（最大音量）の時の入力及びその各々のフロアノイズレベルを表しており、図の（ｂ）は各音量設定値におけるゲイン配分の例を示している。フロアノイズはアナログ部で主に生成されるため、アナログゲインを増分した分上がるもので、デジタルゲインでの増分では影響を受けないものである。また、図の上部の方に記載されている点線は最大許容振幅入力レベルを表している。
【００１０】
図３は、デジタル部で音量毎にゲインを設定し、アナログ部では固定ゲインを設定したモデルであり、あるレベルの入力信号に対して、デジタルゲイン設定部で音量設定値１〜６に応じて、レベルを上げ、ついでアナログゲイン設定部でさらに固定値分レベルを上げ、最後にレシーバ用アンプ部でさらに固定値分レベルを上げてレシーバへ入力した場合を示している。レシーバへの入力レベルは図３〜図６において全て同一レベルを表している。
【００１１】
フロアノイズはアナログゲインと関係し、アナログゲインで上げた分フロアノイズも上がることになる。従って、音量６の時Ｓ／Ｎは斜線入り両端矢印分で示され、音量１の時Ｓ／Ｎは白抜き両端矢印で示される。この場合、アナログゲインは音量１と音量６で変わらないので、フロアノイズも音量１と音量６で変わらないため、音量１の時、Ｓ／Ｎが悪くなってしまう。
【００１２】
図４は、デジタル部は固定ゲインで、アナログ部では音量毎にゲインを設定したモデルであり、図３とは逆に、あるレベルの入力信号に対して、デジタルゲイン設定部で固定値分レベルを上げ、ついでアナログゲイン設定部において音量設定値１〜６に応じて、レベルを上げ、最後にレシーバ用アンプ部でさらに固定値分レベルを上げてレシーバへ入力した場合を示している。
【００１３】
この場合、フロアノイズはアナログゲインで上げた分フロアノイズも上がることから、音量６の斜線入り両端矢印分のＳ／Ｎと音量１の白抜き両端矢印はＳ／Ｎは同一になるが、音量６の時アナログゲインが大きいため、フロアノイズ自身が大きくなり、無音の状態で、フロアノイズが目立つ結果となる。
【００１４】
図５は、デジタル部で必要な限りのゲインを音量毎に設定し、アナログ部ではゲインを抑えたモデルであり、フロアノイズを抑えることを重視して、あるレベルの入力信号に対して、デジタルゲイン設定部で次のアナログゲイン設定部で必要なゲイン量も含めたゲイン分、音量設定値に応じて、レベルを上げ、次のアナログゲイン設定部では固定値０ｄＢとし、最後にレシーバ用アンプ部で固定値分レベルを上げてレシーバへ入力した場合を示している。
【００１５】
この場合、フロアノイズはレシーバ用アンプ部で上げた分だけしか上がらないので、音量６の時に非常にＳ／Ｎが良くなる。また、フロアノイズレベルを最大限抑えることが可能であるので、無音状態を含めてフロアノイズが非常に目立ち難くなるが、逆に、デジタルゲイン設定部でのゲインが大きくなるため、設定音量６の斜線入り上向き矢印のように、ダイナミックレンジが非常に狭くなり、デジタル部での歪、音割れが発生し易くなる。
【００１６】
図６は、デジタル部でのゲインは極力抑えて、アナログ部で必要な限りのゲインを音量毎に設定したモデルであり、この例では、歪、音割れが発生し難いように、デジタル部でのダイナミックレンジを広くすることを考慮したものであって、あるレベルの入力信号に対して、デジタルゲイン設定部では固定値０ｄＢとし、次のアナログゲイン設定部においてデジタルゲイン設定部で必要であったゲイン量も含めたゲイン分、音量設定値１〜６に応じて、レベルを上げ、最後にレシーバ用アンプ部で固定値分レベルを上げてレシーバへ入力した場合を示している。
【００１７】
この場合は、設定音量６の斜線入り上向き矢印と音量１の白抜き上向き矢印のように、ダイナミックレンジが非常に広くなり、デジタル部での歪、音割れはほぼ発生しなくなるが、アナログ部で相当量のゲインを上げているため、フロアノイズが非常に悪く、Ｓ／Ｎも同様に悪くなる。
【００１８】
このように、携帯電話機の受話音声再生におけるレシーバ特性改善のために、入力レベルをデジタルゲインとアナログゲインとに配分する際に、デジタルゲイン側で大きなゲイン設定を行い、アナログ側のゲインは抑えるようにしてフロアノイズの減少を重視すると、歪、音割れの発生頻度が増大し、逆にアナログゲイン側で大きなゲイン設定を行い、デジタル側のゲインを抑えた場合には、歪、音割れの発生はなくなるが、フロアノイズ（雑音）が増大し、歪、音割れと、雑音の両方を改善することが困難である。
【００１９】
本発明の目的は、上述した課題を解決することが可能なデジタル信号処理を有するオーディオ信号再生装置を提供することにある。
【課題を解決するための手段】
【００２０】
本発明の音量調整方法は、入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置における音量調整方法であって、ゲイン設定手段が、前記デジタルゲイン設定部および前記アナログゲイン設定部における各ゲインを、指定された複数の音量設定値に対して、該音量設定値が大きい程大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定することを特徴とする。
【００２１】
本発明のオーディオ信号再生装置は、入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置において、前記デジタルゲイン設定部および前記アナログゲイン設定部における各ゲインを、指定された複数の音量設定値に対して、該音量設定値が大きい程大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定するゲイン設定手段を備えていることを特徴とする。
【００２２】
本発明のプログラムは、入力されたデジタル音声信号のゲイン調整を行うデジタルゲイン設定部と、該デジタルゲイン設定部でゲイン調整されたデジタル音声信号をアナログ音声信号に変換するＤ／Ａコンバータと、該変換されたアナログ音声信号のゲイン調整を行うアナログゲイン設定部と、該アナログゲイン設定部でゲイン調整されたアナログ音声信号を増幅してレシーバへ出力するレシーバ用アンプを有するオーディオ信号再生装置に備えられたコンピュータを、指定された複数の音量設定値に対して、該音量設定値が大きい程、前記デジタルゲイン設定部および前記アナログゲイン設定部の各ゲインを大きい値に設定するとともに、前記デジタルゲイン設定部における設定ゲインと前記アナログゲイン設定部における設定ゲインのゲイン配分比率を、前記音量設定値が小さい程、前記デジタルゲイン設定部における設定ゲインの比率を大きく設定する手段として機能させることを特徴とする。
【発明の効果】
【００２３】
本発明では、例えば受話音量の切り替えが可能な携帯電話機において、受話音声の受話音量設定値毎にデジタルゲインとアナログゲインのゲイン量を共に切り替えるとともに、音量設定値毎にアナログゲインとデジタルゲインの配分比率を、音量設定値が小さい程、前記デジタルゲイン設定部における設定ゲインの比率が大きくなるように変えて音量調整を行う構成としたので、歪や音割れを軽減し、かつノイズを軽減することが可能となり、音質を改善した受話音声再生を提供することができる。
【００２４】
また、受話音声の受話音量毎にデジタルゲインとアナログゲインを切り替えて使用することで、歪や音割れ及びノイズを軽減し、かつ、音質を改善可能な受話音声再生をスピーカ及びレシーバ特性を問わず提供することができる。
【発明を実施するための最良の形態】
【００２５】
図１は、本発明の実施形態を示す受話音量調整機能付き携帯電話機の回路ブロック図である。なお、図１に示す携帯電話機の回路ブロックは、本発明と関連するブロックについて主に示しており、本発明と直接関連しない無線通信部等のブロックについては図示を省略している。
【００２６】
本実施形態の受話音量調整機能付き携帯電話機において、レシーバ１は、音声やトーン信号を出力する部品であり、本実施例ではスピーカとしても代用可能となっている。ＣＰＵ（Central Processing Unit）２は、メモリ６に格納された制御プログラムに従って、携帯電話機全体を制御すると共に通話・通信に関連する種々の演算処理に関係する処理・指示を行い、また、本発明と関連する機能として、着信音・音声・送話感度等の音量切り替え指示等の処理を実行する機能を有する。ＣＰＵ２とメモリ６からなる構成は、メモリ６に格納された本携帯電話機の各種制御プログラムを実行するコンピュータとしての機能を有している。
【００２７】
表示部３は、前記ＣＰＵ２に接続されており、機能設定時の選択画面、機能の設定状況や画像などを表示する。操作部４は、前記ＣＰＵ２に接続されており、発呼、通話開始・終了、メニュー、音量選択時のキー入力等の際に使用者により操作され、その操作情報はＣＰＵ２に入力される。
【００２８】
ＤＳＰ（Digital Signal Processor）５は、ＣＰＵ２に接続されており、受送話部での音声信号処理、着信音等のメロディーデータの信号処理等を行う。メモリ６は、ＣＰＵ２とＤＳＰ５に接続されており、ＣＰＵ２が本携帯電話機の動作を制御するためのプログラム、およびＣＰＵ２で演算した結果や音量設定状態等の種々の機能設定状態を格納する。
【００２９】
デジタルゲイン設定部７は、ＣＰＵ２とＤＳＰ５に接続されており、使用者により設定された音量設定値に応じてＣＰＵ２から指示されたゲイン情報を受けて、使用するゲイン設定値を切り替え、ＤＳＰ５からのデジタル音声信号を該設定したゲインに従って増幅する。Ｄ／Ａコンバータ８は、デジタルゲイン設定部７に接続されており、デジタルゲイン設定部７で増幅されたデジタル信号をアナログ信号に変換する。
【００３０】
アナログゲイン設定部９は、ＣＰＵ２とＤＡコンバータ８に接続されており、使用者により設定された音量設定値に応じてＣＰＵ２から指示されたゲイン情報を受けて、使用するゲイン設定値を切り替え、Ｄ／Ａコンバータ８からのアナログ信号を該設定したゲインに従って増幅する。ここで、デジタルゲイン設定部７とＤ／Ａコンバータ８とアナログゲイン設定部９は、別々のＩＣ、またはひとつにまとまったＩＣのいずれの構成でもよい。
【００３１】
レシーバ用アンプ部１０は、アナログゲイン設定部９と接続されており、固定のゲイン値をもった音声増幅器であって、アナログゲイン設定部９から入力されたアナログ音声信号を増幅して、最終端にあるレシーバ１を駆動する。
【００３２】
図２は、本実施形態の受話音量調整機能付き携帯電話機において、入力音声信号をデジタル処理とアナログ処理してレシーバへ送出する際の、デジタル処理とアナログ処理における各ゲイン配分の実施例を示す図である。
【００３３】
本実施形態においても音量設定は６段階あるものとし、図では、音量設定値が１の時と音量設定値が６の時の入力及びその各々のフロアノイズレベルを表している。フロアノイズはアナログ部で主に生成されるため、アナログゲインを増分した分上がるもので、デジタルゲインでの増分では影響を受けないものである。また、上部の方に記載のある点線は最大許容振幅入力レベルを表している。
【００３４】
本実施形態では、図２に示すように、あるレベルの入力信号に対して、音量設定値が大きくなるにしたがって、デジタルゲイン設定部７でのゲインを上げて信号レベルを上げ、次のアナログゲイン設定部９でもデジタルゲイン設定部７と同様に音量設定値に応じてゲインを上げて信号レベルを上げるが、その際、デジタルゲイン設定部７における設定ゲインとアナログゲイン設定部９における設定ゲインのゲイン配分比率を、設定音量値が小さい程、デジタルゲイン設定部８における設定ゲインの比率が大きくなるように設定する。
【００３５】
例えば図２（ｂ）に示すように、設定音量値が最も小さい１（３５ｄＢ）の場合には、デジタルゲイン設定部７におけるゲインとアナログゲイン設定部９におけるゲインの比率は１７ｄＢ対２ｄＢに設定され、設定音量値が最も大きい６（６０ｄＢ）の場合には、デジタルゲイン設定部７におけるゲインとアナログゲイン設定部９におけるゲインの比率は２７ｄＢ対１７ｄＢに設定される。最後にレシーバ用アンプ部１０で固定値分（１６ｄＢ）レベルを上げる。なお、図２（ｂ）に示す数値は本発明を説明するための便宜的数値であり、図２（ｂ）に示す数値によって本発明を限定するものではない。
【００３６】
ここで、フロアノイズについてみると、フロアノイズはアナログゲインで上げた分フロアノイズも上がることから、本実施形態における設定音量値６の時のＳ／Ｎは図３における設定音量値６の場合とほぼ同等となり、図４における設定音量値６の時のフロアノイズより小さく抑えることが出来る。一方、設定音量値１の場合には、図３に示す例ではアナログゲイン部で３２ｄＢ増幅しているのに対して、本実施形態ではアナログゲイン部は１８ｄＢのゲインに抑えられているので、図３に示す例よりはＳ／Ｎを改善することができる。
【００３７】
一方、デジタル部でのダイナミックレンジは、設定音量値６においては、図３における設定音量値６の場合とほぼ同等のダイナミックレンジが確保でき、図５における設定音量値６の時のようにダイナミックレンジが狭くなることはない。また、設定音量値１の場合のダイナミックレンジは、図３における設定音量値１の場合のダイナミックレンジよりは狭くなるが、設定音量値６の場合のダイナミックレンジよりは広く確保されていることから、問題ないと言える。
【００３８】
このように本実施形態では、デジタルゲイン設定部とアナログゲイン設定部を備えた携帯電話機のスピーカ及びレシーバ受話音声再生において、レシーバへの入力信号を音量設定値毎にアナログゲインとデジタルゲインの配分を変更して入力信号を制御することで歪、音割れ及び雑音（フロアノイズ）を軽減し、音質向上が可能となる。
【００３９】
次に、本実施形態の携帯電話機の動作について、図１〜図２を参照して詳細に説明する。
【００４０】
まず機能として、受話音量設定値が６段階あるものとし、受話音量の選択を実施する。メモリ６には、図２（ｂ）に示すような、音量設定値と各ゲイン部における設定ゲイン値がテーブルとして格納されている。
【００４１】
使用者は、操作部４を操作して表示部５に受話音量を表示させる。次に、表示された受話音量を見ながら操作部４を操作し、受話音量を例えば６に設定する。ＣＰＵ２はメモリ６に格納されている上記テーブルを参照することにより受話音量６の情報を入手し、デジタルゲイン設定部７とアナログゲイン設定部９に使用するゲイン設定値として、２７ｄＢと１７ｄＢの指示を出す。指示を出されたデジタルゲイン設定部７とアナログゲイン設定部９はそれを受けて使用するゲイン設定値を、個々に切り替え設定する。この状態がメモリ６で保持される。
【００４２】
ここで、実際携帯電話機で通話をした時、ある音声のデジタル信号がＤＳＰ５内で処理され、デジタルゲイン設定部７に入力される。デジタルゲイン設定部７に入力されたデジタル信号は、受話音量６が設定されているので、デジタルゲイン設定部７で受話音量６のゲイン値（２７ｄＢ）で増幅され、Ｄ／Ａコンバータ８に入力される。デジタルゲイン設定部７で増幅されたデジタル信号はＤ／Ａコンバータ８でアナログ音声信号に変換され、アナログゲイン設定部９に入力される。
【００４３】
アナログゲイン設定部９に入力されたアナログ音声信号は、受話音量６が設定されているので、アナログゲイン設定部９において受話音量６のゲイン値（１７ｄＢ）で増幅され、レシーバ用アンプ部１０に入力される。レシーバ用アンプ部１０に入力されたアナログ音声信号は、レシーバ用アンプ部１０で固定ゲイン（１６ｄＢ）増幅された後、レシーバ１に入力され、レシーバ１から音声として出力される。
【００４４】
通話者が、操作部４を操作して受話音量の設定値を音量１に変更した時には、前述と同様にしてデジタルゲイン設定部７とアナログゲイン設定部９で設定した音量１のゲイン値、例えば１７ｄＢと２ｄＢに切り替わり、このようなゲイン値で増幅された音声信号が、レシーバ１から音量１のレベルで再生される。
【００４５】
このように本実施形態では、あるレベルの入力信号に対して、デジタルゲイン設定部７で音量設定値に応じて、レベルを上げ、次のアナログゲイン設定部９でもデジタルゲイン設定部７と同様に音量設定値に応じて、レベルを上げるが、その際、設定音量値が小さくなる程、デジタルゲイン設定部７よりアナログゲイン設定部９のゲインを少なくするように音量設定値毎に調整を行い、音量１の時はアナログゲイン設定部９が最小になるように設定しているので、最大音量値から最小音量値に亘ってＳ／Ｎを改善し、かつ、デジタル部での十分なダイナミックレンジを確保することができる。
【００４６】
なお、上記実施形態では、携帯電話機における受話音声の例について説明したが、本発明は上記実施形態に限定されるものではなく、スピーカで音声再生や音楽再生を行う同様構成のオーディオ信号再生装置に適用することができる。
【図面の簡単な説明】
【００４７】
【図１】本発明の実施形態を示す受話音量調整機能付き携帯電話機の回路ブロック図である。
【図２】本実施形態の受話音量調整機能付き携帯電話機における音声信号をデジタル処理とアナログ処理する際の各ゲイン配分の例を示す図である。
【図３】音声信号をデジタル処理とアナログ処理する際の従来のモデルにおける各ゲイン配分の例を示す図である。
【図４】音声信号をデジタル処理とアナログ処理する際の従来のモデルにおける各ゲイン配分の例を示す図である。
【図５】音声信号をデジタル処理とアナログ処理する際の従来のモデルにおける各ゲイン配分の例を示す図である。
【図６】音声信号をデジタル処理とアナログ処理する際の従来のモデルにおける各ゲイン配分の例を示す図である。
【符号の説明】
【００４８】
１  レシーバ
２  ＣＰＵ
３  表示部
４  操作部
５  ＤＳＰ
６  メモリ
７  デジタルゲイン設定部
８  Ｄ／Ａコンバータ
９  アナログゲイン設定部
１０  レシーバ用アンプ
【図１】
2010141571.tif 000003
【図２】
2010141571.tif 000004
【図３】
2010141571.tif 000005
【図４】
2010141571.tif 000006
【図５】
2010141571.tif 000007
【図６】
2010141571.tif 000008